(57)【特許請求の範囲】
【請求項１】
携帯端末に実行させるためのアプリケーションプログラムであって、
クレジットカードまたはキャッシュカードである対象カードから、当該対象カードを他のカードと識別するための情報であるカード情報を受信するカード情報受信部と、
上記カード情報受信部が受信したカード情報が、所定のカード情報と一致するか否かを判定する判定部と、
上記判定部が、上記カード情報は所定のカード情報と一致すると判定した場合、上記対象カードを活性化させるカード活性化部と、
として上記携帯端末を機能させるためのアプリケーションプログラム。
【請求項２】
上記カード活性化部は、上記対象カードを活性化させる期間および上記対象カードの使用回数の少なくとも何れかを指定して、上記対象カードを活性化させることを特徴とする請求項１に記載のアプリケーションプログラム。
【請求項３】
クレジットカードまたはキャッシュカードとして機能するカードであって、
当該カードを他のカードと識別するための情報であるカード情報を携帯端末に送信するカード情報送信部と、
携帯端末から当該カードを活性化させる指示を受け付ける活性化指示受付部と、
上記活性化指示受付部が受け付けた指示に従って当該カードを活性化させる活性化部と、
を備えることを特徴とするカード。
【請求項４】
カード情報の少なくとも一部を表示する表示部と、
上記表示部に電力を供給する太陽電池と、
を備えることを特徴とする請求項３に記載のカード。
【発明の詳細な説明】
【技術分野】
【０００１】
本発明は、携帯端末に実行させるためのアプリケーションプログラム、およびクレジットカードまたはキャッシュカードとして機能するカードに関する。
【背景技術】
【０００２】
近年、クレジットカードやキャシュカードといったカードの不正使用が問題になっている。例えば、（１）所有者がカードを紛失し、当該カードを拾得した第三者が当該カードを使用する、（２）スキミングによってカードの情報を抜き出し、まったく同じ情報を持つカードを複製し、当該カードを使用する、といったことが社会問題になっている。特に（２）は近年のカード犯罪の中でも多く使われる手口であり、ＮＦＣリーダ機をカードに近づけ、カードのＩＣに書き込まれている情報を抜き出す手口が社会問題になっている。そのため、このような問題を解決する技術が開発されている。
【０００３】
例えば、非特許文献１には、暗証番号が入力されることによって活性化するクレジットカードが開示されている。当該クレジットカードは表面にディスプレイと５つのボタンとを備えている。当該クレジットカードでは、所有者が暗証番号を入力すると、ディスプレイにカード番号が表示され、当該クレジットカードが活性化される。
【先行技術文献】
【非特許文献】
【０００４】
【非特許文献１】Dynamics Inc.、"Security:Hidden"、２０１５年３月３１日検索、インターネット（URL:https:dynamicsinc.com/Corporate/Products）
【発明の概要】
【発明が解決しようとする課題】
【０００５】
しかしながら、上述の従来技術では、カードを活性化させるために消費される電力が大きいため、内蔵バッテリーの電力消費も大きいという問題がある。
【０００６】
本発明は、上記の問題に鑑みてなされたものであり、その主な目的は、クレジットカードやキャシュカードの不正な使用を防ぐとともに、内蔵バッテリーの電力消費を抑制する技術を提供することにある。
【課題を解決するための手段】
【０００７】
上記の課題を解決するために、本発明の一態様に係るアプリケーションプログラムは、携帯端末に実行させるためのアプリケーションプログラムであって、クレジットカードまたはキャッシュカードである対象カードから、当該対象カードを他のカードと識別するための情報であるカード情報を受信するカード情報受信部と、上記カード情報受信部が受信したカード情報が、所定のカード情報と一致するか否かを判定する判定部と、上記判定部が、上記カード情報は所定のカード情報と一致すると判定した場合、上記対象カードを活性化させるカード活性化部と、として上記携帯端末を機能させる。
【０００８】
上記の構成によれば、アプリケーションプログラムは、対象カードからカード情報を受信し、当該カード情報が所定のカード情報と一致すると判定した場合、対象カードを活性化させる機能を、携帯端末において実現する。そのため、アプリケーションプログラムは、対象カードを活性化させるか否かを判定する処理を対象カードに実行させる必要がなくなるため、対象カードの内蔵バッテリーの電力消費を抑制することができる。また、アプリケーションプログラムによって、携帯端末は対象カードを活性化させることができるため、所有者が対象カードを紛失したとしても、第三者に対象カードを不正に使用されることを防ぐことができる。また、所有者が使用するとき以外はカードを非活性化されているので、スキミングによってカード情報が抜き取られることを防ぐことができる。
【０００９】
また、本発明の一態様に係るアプリケーションプログラムにおいて、上記カード活性化部は、上記対象カードを活性化させる期間および上記対象カードの使用回数の少なくとも何れかを指定して、上記対象カードを活性化させてもよい。
【００１０】
上記の構成によれば、アプリケーションプログラムは、ユーザの利便性を向上させることができる。
【００１１】
本発明の一態様に係るカードは、クレジットカードまたはキャッシュカードとして機能するカードであって、当該カードを他のカードと識別するための情報であるカード情報を携帯端末に送信するカード情報送信部と、携帯端末から当該カードを活性化させる指示を受け付ける活性化指示受付部と、上記活性化指示受付部が受け付けた指示に従って当該カードを活性化させる活性化部と、を備える。
【００１２】
上記の構成によれば、カードは、カード情報を携帯端末に送信し、携帯端末から当該カードを活性化させる指示を受け付けると、活性化する。そのため、カードを活性化させるか否かをカード自体が判定する必要がないため、内蔵バッテリーの電力消費を抑制することができる。また、カードは携帯端末から活性化させる指示を受け付けると活性化するため、所有者がカードを紛失したとしても、第三者に不正に使用されることを防ぐことができる。
【００１３】
また、本発明の一態様に係るカードは、カード情報の少なくとも一部を表示する表示部と、上記表示部に電力を供給する太陽電池と、を備えてもよい。
【００１４】
上記の構成によれば、カードが備える太陽電池が、カード情報を表示する表示部に電力を供給する。そのため、カードは、内蔵バッテリーの電力消費を好適に抑制することができる。また、カードは、表示部が電力を消費しない期間、太陽電池が発電した電力を内蔵バッテリーに蓄えることができるため、内蔵バッテリーの残容量がなくなることを好適に抑制することができる。
【発明の効果】
【００１５】
本発明は、クレジットカードやキャシュカードの不正な使用を防ぐとともに、内蔵バッテリーの電力消費を抑制することができる。
【図面の簡単な説明】
【００１６】
【図１】本発明の実施形態におけるカード活性化システムの要部構成を示すブロック図である。
【図２】本実施形態におけるスマートフォンの処理の流れを示すフローチャートである。
【図３】本実施形態におけるカードの処理の流れを示すフローチャートである。
【図４】本実施形態におけるスマートフォンが表示する画像の例である。
【図５】本実施形態におけるカードの外観を示す図である。
【発明を実施するための形態】
【００１７】
以下、本発明の実施の形態について、図１〜図５を用いて詳細に説明する。
【００１８】
（カード活性化システム１）
図１は、本実施形態におけるカード活性化システム１の要部構成を示すブロック図である。図１に示すように、カード活性化システム１は、スマートフォン（携帯端末）２およびカード（対象カード）３によって構成されている。カード活性化システム１では、クレジットカードまたはキャッシュカード（デビットカード）として機能するカード３は、近距離無線通信を介してスマートフォン２によって活性化される。換言すると、カード３は、スマートフォン２によって活性化されるまでは非活性化されているため、カードが活性化されるまでユーザはカード３を使用することができない。
【００１９】
なお、本実施形態では、カード活性化システム１における近距離無線通信としてＮＦＣ（Near Field Communication）を用いて説明するが、本発明における近距離通信はＮＦＣに限定されない。
【００２０】
（スマートフォン２）
スマートフォン２は、カード３から、カード３を他のカードと識別するための情報であるカード情報を受信し、当該カード情報が所定のカード情報と一致する場合に、カード３を活性化させる。本発明におけるカード情報の例として、カード番号を挙げることができるが、それに限定されない。また、本発明では、カードを活性化させる端末はスマートフォンに限定されず、電話機能を有しない携帯端末（タブレットＰＣなど）であってもよい。スマートフォン２は、図１に示すように、スマートフォンＮＦＣ通信部２１、指紋センサ２２、表示部２３、操作受付部２４、およびスマートフォン制御部２５を備えている。
【００２１】
スマートフォンＮＦＣ通信部２１は、カード３（より具体的には、後述するカードＮＦＣ通信部３１）とＮＦＣ通信を行うデバイスである。指紋センサ２２は、ユーザの指紋の情報である指紋情報を取得するセンサである。表示部２３は、スマートフォン制御部２５から出力される画像信号が示す画像を表示するデバイスである。表示部２３は、バックライトを有した透過型の液晶パネルや有機ＥＬ（Electro luminescence）ディスプレイなどにより実現される。操作受付部２４は、ユーザの操作を受け付けるデバイスであり、受け付けた操作を示す操作情報を出力する。操作受付部２４は、表示部２３に重畳して設けられるタッチセンサなどにより実現される。
【００２２】
スマートフォン制御部２５は、スマートフォン２の各構成を統括的に制御する機能を有し、ＣＰＵにより実現される。スマートフォン制御部２５は、図１に示すように、指紋認証部２６、カード情報管理部（カード情報受信部、判定部）２７、カード活性化部２８、および表示制御部２９としても機能する。
【００２３】
指紋認証部２６は、指紋センサ２２から出力される指紋情報が、予め登録されている指紋情報と一致するか否かを判定し、判定結果を出力する。例えば、スマートフォン２では、予めスマートフォン２のユーザの指紋情報を登録することにより、スマートフォン２のユーザにのみ、スマートフォン２を操作させることが可能になる。カード情報管理部２７は、予め登録された１または複数のカードのカード情報を管理する。カード情報管理部２７がカード情報を管理する処理については、後述するフローチャートにおいて詳しく説明する。カード活性化部２８は、スマートフォンＮＦＣ通信部２１を介してカードを活性化させる（カードに対して活性化するように指示する）。より具体的には、カード活性化部２８は、カードを活性化させる旨の信号を送信する。表示制御部２９は、表示部２３に表示する画像を示す画像信号を表示部２３に出力する。
【００２４】
（カード３）
カード３は、スマートフォン２にカード情報を送信し、スマートフォン２から活性化させる指示を受け付けると活性化する。カード３は、図１に示すように、カードＮＦＣ通信部３１、ＬＣＤ３２ａ、ＬＣＤ３２ｂ、ＬＣＤ３２ｃ、カード制御部３３、スイッチ３６、バッテリー３７、および太陽光パネル（太陽電池）３８を備えている。
【００２５】
カードＮＦＣ通信部３１は、スマートフォン２（より具体的には、スマートフォンＮＦＣ通信部２１）とＮＦＣ通信を行うデバイスである。また、カードＮＦＣ通信部３１は、ＮＦＣ通信を行う対象機器から供給される電力を、バッテリー３７に供給することもできる。また、カード３が、カードＮＦＣ通信部３１に代えて、またはカードＮＦＣ通信部３１に加えて、接触型の通信部（不図示）を備える場合、当該通信部は、当該通信部と接触してカード３と通信を行う端末（例えば、決済端末やＡＴＭ（Ａｕｔｏｍａｔｅｄ  Ｔｅｌｌｅｒ  Ｍａｃｈｉｎｅ）など）から供給される電力をバッテリー３７に供給することもできる。そのため、カード３は、バッテリー３７の残容量がなくなることを好適に抑制することができる。
【００２６】
ＬＣＤ３２ａ〜ＬＣＤ３２ｃ（以下において、ＬＣＤ３２ａ〜ＬＣＤ３２ｃをＬＣＤ（表示部）３２と称する場合もある）は、カード制御部３３から出力された画像情報が示す画像を表示するデバイスである。ＬＣＤ３２は、カード３に内蔵可能な液晶パネルであるが、液晶パネルに限定されず、カード３に内蔵可能な表示デバイスであればよい。カード制御部３３は、カード３の各構成を統括的に制御する物であり、ＣＰＵにより実現される。カード制御部３３の詳細については後述する。
【００２７】
スイッチ３６は、ユーザからカード３を起動する旨の操作を受け付けるデバイスである。バッテリー３７は、カード制御部３３に電力を供給する内蔵バッテリーである。太陽光パネル３８は、光を電気エネルギーに変換する太陽電池である。太陽光パネル３８は、変換した電気エネルギーを、カード３が起動しているときにはＬＣＤ３２に供給する。そのため、カード３は、太陽光パネル３８を備えることにより、バッテリー３７が消費するのを抑制することができる。また、太陽光パネル３８は、カード３が起動していないときには、発電した電力をバッテリー３７に供給する。そのため、カード３は、バッテリー３７の残容量がなくなることを好適に抑制することができる。
【００２８】
カード制御部３３は、図１に示すように、カード管理部（カード情報送信部、活性化指示受付部、活性化部）３４およびＬＣＤ制御部３５としても機能する。カード管理部３４は、カード３のカード情報を管理する。カード管理部３４がカード情報を管理する処理については、後述するフローチャートにおいて詳しく説明する。ＬＣＤ制御部３５は、ＬＣＤ３２に表示する画像を示す画像信号を、ＬＣＤ３２に出力する。
【００２９】
（スマートフォン２の処理）
図２は、本実施形態におけるスマートフォン２の処理の流れを示すフローチャートである。スマートフォン２の処理について、図２を用いて説明する。
【００３０】
まず、スマートフォン制御部２５は、ユーザから操作受付部２４を介してカードを活性化させるアプリケーションを起動する旨の指示を受け付けると、当該アプリケーションを起動させる（ステップＳ１、以下「ステップ」を省略する）。続いて、指紋認証部２６は、指紋センサ２２を介して指紋情報を取得すると、当該指紋情報が所定の指紋情報と一致するか否かを判定し、判定結果をカード情報管理部２７に出力する（Ｓ２）。カード情報管理部２７は、判定結果が指紋は一致したことを示す判定結果であるか否かを判定する（Ｓ３）。
【００３１】
Ｓ３において、「指紋は一致した」と判定された場合（Ｓ３：Ｙｅｓ）、カード情報管理部２７は、操作受付部２４を介してユーザから取得した操作情報に従い、活性化させるカードを選択する（Ｓ４）。本実施形態では、カード３を選択する旨の操作を示す操作情報をカード情報管理部２７が取得した場合について説明する。そして、カード情報管理部２７は、カード接触可能時間（本実施形態では１分）を表示するよう表示制御部２９に指示する。表示制御部２９は当該指示を受け付けると、カード接触可能時間を表示部２３に表示する（Ｓ５）。続いて、カード情報管理部２７は、カード接触可能時間である１分以内にカード情報を受信したか否かを判定する（Ｓ６）。
【００３２】
Ｓ６において、「１分以内にカード情報を受信した」と判定された場合（Ｓ６：Ｙｅｓ）、カード情報管理部２７が受信したカード情報が、カード情報管理部２７が管理しているカード情報のうち、Ｓ４において選択されたカードのカード情報と一致するか否かを判定する（Ｓ７）。Ｓ７において、「カード情報は一致する」と判定された場合（Ｓ７：Ｙｅｓ）、カード活性化部２８は、カードを活性化させる期間（決済時間）およびカードの使用回数（決済回数）を指定して、カード３を活性化させる（Ｓ８）。ここで、カード活性化部２８が指定する決済時間および決済回数は、予めユーザによって設定されているものであってもよいし、所定の決済時間および決済回数であってもよい。
【００３３】
続いて、カード情報管理部２７は、残りの決済時間および決済可能回数を表示するよう、表示制御部２９に指示する。表示制御部２９は、当該指示を受け付けると、残りの決済時間および決済回数を表示部２３に表示する（Ｓ９）。なお、以下において、「決済時間および決済回数」は、「決済時間および決済回数の少なくとも何れか」であってもよい。そして、カード情報管理部２７は、決済時間および決済回数を再設定する旨の操作を示す操作情報を取得したか否かを判定する（Ｓ１０）。
【００３４】
Ｓ１０において、「決済時間および決済回数の再設定要請はない」と判定された場合（Ｓ１０：Ｎｏ）、カード情報管理部２７は、決済時間および決済回数は設定値と同一であるか否かを判定する（Ｓ１１）。Ｓ１１において、「決済時間および決済回数は設定値と同一である」と判定された場合（Ｓ１１：Ｙｅｓ）、カード情報管理部２７は、カードを活性化させるアプリケーションを終了する（Ｓ１２）。
【００３５】
また、Ｓ３において、「指紋は一致しない」と判定された場合（Ｓ３：Ｎｏ）、カード情報管理部２７は、指紋の不一致が所定の回数（本実施形態では３回）に達したか否かを判定する（Ｓ１３）。Ｓ１３において、「３回目ではない」と判定された場合（Ｓ１３：Ｎｏ）、カード情報管理部２７は、ステップＳ２の処理に戻り、再び指紋認証を行う。一方、Ｓ１３において、「３回目である」と判定された場合（Ｓ１３：Ｙｅｓ）、または、Ｓ６において「１分以内にカード情報を受信しなかった」と判定された場合（Ｓ６：Ｎｏ）、カード情報管理部２７は、Ｓ１２の処理に進みアプリケーションを終了する。
【００３６】
また、Ｓ１０において、「決済時間および決済回数の再設定要請はある」と判定された場合（Ｓ１０：Ｙｅｓ）、カード情報管理部２７は、ユーザ入力により設定された決済時間および決済回数を取得し（Ｓ１４）、Ｓ５の処理に戻る。また、Ｓ７において、「カード情報は一致しない」と判定された場合（Ｓ７：Ｎｏ）も、カード情報管理部２７はＳ５の処理に戻る。
【００３７】
また、Ｓ１１において、「決済時間および決済回数は設定値と同一ではない」と判定された場合（Ｓ１１：Ｎｏ）、カード情報管理部２７は、ステップＳ９の処理に戻る。
【００３８】
このように、本実施形態におけるスマートフォン２は、カード３からカード情報を受信し、当該カード情報が所定のカード情報と一致するか否かを判定する。そして、スマートフォン２は、当該カード情報が所定のカード情報と一致すると判定した場合、カード３を活性化させる。そのため、スマートフォン２は、カード３を活性化させるか否かを判定する処理をカード３に実行させる必要がなくなるため、カード３のバッテリー３７の電力消費を抑制することができる。また、スマートフォン２がカード３を活性化させるため、所有者がカード３を紛失したとしても、第三者にカード３を不正に使用されることを防ぐことができる。
【００３９】
また、スマートフォン２は、カード３を活性化させる期間およびカード３の使用回数の少なくとも何れかを指定して、カード３を活性化させる。そのため、ユーザは、スマートフォン２を操作することによってカード３を活性化させる期間およびカード３の使用回数の少なくとも何れかを変更できるため、スマートフォン２は、ユーザの利便性を向上させることができる。
【００４０】
（カード３の処理）
図３は、本実施形態におけるカード３の処理の流れを示すフローチャートである。カード３の処理について、図３を用いて説明する。
【００４１】
カード制御部３３は、スイッチ３６を介して、カード３を起動させる旨の操作を示す操作情報を取得すると、バッテリー３７が供給する電力によって起動する（Ｓ２１）。そして、ＬＣＤ制御部３５は、起動したことを示す画像（本実施形態では数字の「８」）をＬＣＤ３２に表示する（Ｓ２２）。続いて、カード管理部３４は、カード３のカード情報を、カードＮＦＣ通信部３１を介してスマートフォン２に送信する（Ｓ２３）。
【００４２】
続いて、カード管理部３４は、スマートフォン２から、カード３を活性化させる指示を受け付けると、カード３を活性化させる（Ｓ２４）。より具体的には、カード管理部３４は、カードを活性化させる旨の信号を受信すると、カード３を活性化させる。カード３が活性化すると、ＬＣＤ制御部３５は、ＬＣＤ３２に画像を表示する（本実施形態では、ＬＣＤ３２ａにカード番号、ＬＣＤ３２ｂに有効期限、ＬＣＤ３２ｃにセキュリティコードを表示する、Ｓ２５）。そして、カード管理部３４は、スマートフォン２において決済時間および決済回数の再設定要請があるか否かを判定する（Ｓ２６）。換言すると、スマートフォン２から、再度決済時間および決済回数を指定して活性化されたか否かを判定する。
【００４３】
Ｓ２６において、「決済時間および決済回数の再設定要請はある」と判定された場合（Ｓ２６：Ｙｅｓ）、カード管理部３４は、決済時間および決済回数を再設定する（Ｓ２７）。そして、カード管理部３４は、決済時間および決済回数は設定値と同一か否かを判定する（Ｓ２８）。また、Ｓ２６において、「決済時間および決済回数の再設定要請はない」と判定された場合（Ｓ２６：Ｎｏ）も、カード管理部３４はＳ２８の処理を実行する。
【００４４】
Ｓ２８において、「決済時間および決済回数は設定値と同一である」と判定された場合（Ｓ２８：Ｙｅｓ）、カード管理部３４はカード３を非活性化させる。一方、Ｓ２８において、「決済時間および決済回数は設定値と同一ではない」と判定された場合（Ｓ２８：Ｎｏ）、カード管理部３４は、Ｓ２５の処理に戻る。
【００４５】
このように、本実施形態におけるカード３は、カード情報をスマートフォン２に送信し、スマートフォン２からカード３を活性化させる指示を受け付けると、カード３を活性化させる。そのため、カード３は、カード３を活性化させるか否かを判定する処理が不要であるため、バッテリー３７の電力消費を抑制することができる。また、カード３はスマートフォン２から活性化させる指示を受け付けるため、所有者がカード３を紛失したとしても、第三者に不正に使用されることを防ぐことができる。また、所有者が使用するとき以外、カード３は非活性化されている。そのため、カード３は、スキミングによってカード情報が抜き取られることを防ぐことができる。
【００４６】
（スマートフォン２が表示する画像の例）
図４は、本実施形態におけるスマートフォン２が表示する画像の例である。図４に示すように、スマートフォン２は、カードを活性化させると、残りの決済時間を示す画像４０を含む画像を表示部２３に表示する。なお、スマートフォン２は、画像４０に加えて、決済回数を示す画像を含む構成であってもよい。このように、スマートフォン２は、決済時間および決済回数の少なくとも何れかを表示することにより、カードが活性化する期間およびカードを使用可能な回数をユーザに報知することができる。
【００４７】
また、スマートフォン２は、図４に示すように、決済時間の再設定を受け付けるボタン４１および決済回数の再設定を受け付けるボタン４２を含む画像を表示してもよい。この構成により、ユーザに対して、カードが活性化する期間および使用可能な回数を変更可能であることをユーザに報知することができる。
【００４８】
（カード３の外観）
図５は、本実施形態におけるカード３の外観を示す図である。以下、カード３において、所有者の署名を記載する面を裏面、裏面の反対側の面を表面と称する。図５の（ａ）は、カード３が非活性化されているときの表面の外観を示す図であり、（ｂ）は、カード３が活性化されているときの裏面の外観を示す図であり、（ｃ）は、カード３が活性化されているときの表面の外観を示す図である。
【００４９】
図５の（ａ）に示すように、カード３の表面に記載されているカード番号の一部を隠すように、ＬＣＤ３２ａは配置されている。そのため、ＬＣＤ３２ａが画像を表示していない状態（すなわち、カード３が非活性化されている状態）では、カード３のカード番号の一部しかユーザに提示していないため、第三者が不正にカード３を使用するのを防ぐことができる。また、図５の（ａ）および（ｂ）に示すように、カード３はさらに、有効期限を表示するＬＣＤ３２ｂ、およびセキュリティコードを表示するＬＣＤ３２ｃを備えている。なお、図５の（ａ）には図示していないが、カード３が非活性化されている状態では、ＬＣＤ３２ｃも同様に画像を表示しない。
【００５０】
カード３が非活性化されている状態において、ユーザがスイッチ３６を押し、カード３のカードＮＦＣ通信部３１をスマートフォン２のスマートフォンＮＦＣ通信部２１に近づけると、カード３はカード情報をスマートフォン２に送信する。そして、カード３が活性化されると、図５の（ｂ）に示すように、ＬＣＤ３２ｃはセキュリティコードを表示する。また、図５の（ｃ）に示すように、ＬＣＤ３２ａはカード番号の一部を表示、ＬＣＤ３２ｂは有効期限を表示する。
【００５１】
〔ソフトウェアによる実現例〕
スマートフォン２およびカード３における各制御ブロック（特にスマートフォン２のスマートフォン制御部２５）は、集積回路（ＩＣチップ）等に形成された論理回路（ハードウェア）によって実現してもよいし、ＣＰＵ（Central Processing Unit）を用いてソフトウェア（アプリケーションプログラム）によって実現してもよい。
【００５２】
後者の場合、スマートフォン２およびカード３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５３】
本発明は上述した実施形態に限定されるものではなく、請求項に示した範囲で種々の変更が可能であり、実施形態に開示された技術的手段を適宜組み合わせて得られる実施形態についても本発明の技術的範囲に含まれる。
【産業上の利用可能性】
【００５４】
本発明は、カードを活性化させるシステムに利用することができる。
【符号の説明】
【００５５】
１  カード活性化システム
２  スマートフォン（携帯端末）
３  カード（対象カード）
２７  カード情報管理部（カード情報受信部、判定部）
２８  カード活性化部
３２ａ〜３２ｃ  ＬＣＤ（表示部）
３４  カード管理部（カード情報送信部、活性化指示受付部、活性化部）
３８  太陽光パネル（太陽電池）
【要約】
【課題】クレジットカードやキャシュカードの不正な使用を防ぐとともに、内蔵バッテリーの消費を抑制する技術を提供する。
【解決手段】対象カードからカード情報を受信し、受信したカード情報が、所定のカード情報と一致するか否かを判定するカード情報管理部（２７）と、受信したカード情報が所定のカード情報と一致すると判定された場合、対象カードを活性化させるカード活性化部（２８）と、として携帯端末を機能させるアプリケーションプログラム。
【選択図】図１【図１】
0005920747.tif 000002
【図２】
0005920747.tif 000003
【図３】
0005920747.tif 000004
【図４】
0005920747.tif 000005
【図５】
0005920747.tif 000006